(57)【特許請求の範囲】
【請求項１】
カートリッジを搬入または搬出させる開口部を有し前記開口部内に搬入された前記カートリッジに接近離間するように上下動するトラバースを有する装置本体と、
前記装置本体に設けられ前記カートリッジの搬入に伴い前記装置本体の搬入方向および搬出方向とは異なる外部方向に移動し前記カートリッジの搬出に伴い前記装置本体の搬入方向および搬出方向とは異なる内部方向に移動して前記トラバースを上下動させるスライド部材と、
前記装置本体に設けられ前記スライド部材と係合して移動するロック手段と、
前記カートリッジの搬入状態で前記開口部を遮蔽するドライブドアと、
前記ドライブドアに設けられて前記ドライブドアが前記開口部を遮蔽した状態で前記ロック手段が前記装置本体の内部から外部方向への移動後に位置する場合に前記ロック手段と係合し前記ロック手段が前記装置本体の内部から外部方向への移動前に位置する場合に前記ロック手段と係合しない係合部と、を有するディスク装置のドライブドアロック機構。
【請求項２】
前記スライド部材は、ローディングモータに連動する請求項１記載のディスク装置のドライブドアロック機構。
【発明の詳細な説明】
【０００１】
【発明の属する技術分野】
本発明は、光ディスク等のディスクに記録、再生または記録再生を行うプレーヤまたはレコーダ等に適用される光ディスク装置などのディスク装置に関する。
【０００２】
特に、ディスクを内包したカートリッジまたは単体のディスクを載置し、ディスク装置の内部に搬入（ローディング）しまたは外部に搬出（イジェクト）するトレイの搬入後の開口部を遮へいしたり、トレイのないスロットイン方式でディスクやカートリッジの搬入後の開口部を遮蔽するドライブドアのロック機構に関する。
【０００３】
【従来の技術】
従来の光ディスク記録再生装置のＣＤ−ＲＯＭドライブ構造を用いて、トレイがローディングおよびイジェクトを行う開口部の遮へい構造と装置の動作について説明する。
【０００４】
図１４において、２０１は光ディスク記録再生装置の装置本体、２０２はそのトレイの出し入れ用の開口部、２０３はロード・イジェクトスイッチの操作ボタン、２０４は光ディスクを載置するトレイである。
【０００５】
トレイ２０４のカートリッジ載置面２３３の中央には、同心円に設けられた大小２つの凹部２３１、２３２が設けられている。大径の凹部２３１が大径ディスク載置部、小径の凹部２３２は小径ディスク載置部で光ディスク記録再生装置本体２０１に装着するディスク外径に応じて使い分けるように準備されている。
【０００６】
またトレイ２０４の前面にはトレイ飾り２０５が形成されている。トレイ２０４のローディング完了時にトレイ飾り２０５は光ディスク記録再生装置本体２０１の開口部２０２を遮へいする構造となっている。
【０００７】
トレイ２０４の裏面には、装置本体２０１のメカシャーシの前側に設けられたローディングモータ（図示せず）に連動するローディングギヤ系の最終段の駆動ギアと係合するラックギア（図示せず）が設けられている。これによってトレイ２０４はローディングモータの回転方向を切り替えることで、ローディングとイジェクトが可能な構成となっている。
【０００８】
このように、ＣＤ−ＲＯＭドライブは単体ディスクにだけ対応するトレイ２０４を有し、その開口部２０２はトレイ２０４と一体型のトレイ飾り（蓋）２０５で遮へいする構造である。またトレイ搬入後はトレイ２０４は機構的にロックされ、同時に開口部２０２はトレイ飾り２０５で遮へいされるため、トレイ２０４を手動で引き出すことは不可能であり、外部から装置内部に指や異物を挿入することは不可能となっている。
【０００９】
【発明が解決しようとする課題】
従来の光ディスク記録再生装置では、下記の構造的な課題があった。
【００１０】
従来のトレイ２０４の構造では、単体のディスクとカートリッジに収納されたディスクの両方を載置することは不可能であった。仮にトレイ２０４のディスク載置面の構造を変更してカートリッジの載置が可能な構造に変更しても、トレイ２０４の前面にトレイ飾り２０５を設けた構造のままでは、トレイ２０４へのカートリッジの載置および取り出しを行う場合、カートリッジを保持する箇所がカートリッジの側面に限定されるため不便を生じるものであった。特に手の小さな子供や、指先でカートリッジをつかむ力の弱い老人にはカートリッジの載置および取り出し動作を行うことは困難な作業となってしまうという課題があった。
【００１１】
カートリッジに対応するため、トレイ飾り２０５を排除もしくはトレイ飾り２０５の一部に切り欠きを設けて、カートリッジの前側で保持することを可能とした場合、光ディスク記録再生装置の前面に装置外部に対して開口部分が発生し、装置の稼働中にゴミや異物が装置内に混入する恐れや、子供が回転中のディスクに接触し怪我の発生する可能性があった。併せて前面の開口部分からディスクの記録面で反射した強力なレーザ光の回折光が外部に漏れだし、装置の設置形態によっては回折光が目に入射し、網膜に傷害を発生させる可能性もあった。
【００１２】
また、スロットイン方式と称されるトレイを有せず、光ディスク記録再生装置の前面にローラを有して、ローラの回転駆動でディスクを装置内部にローディングを行う光ディスク記録再生装置において、単体のディスクにだけ対応する場合ならば、薄いディスクの通過が可能な通路があれば、開口部を遮へいする蓋は必要ない。しかしカートリッジに対応するスロットイン方式を採用した場合には、厚いカートリッジの通過が可能な通路が必要となり、結果として開口部を遮へいする蓋構造が必要であった。
【００１３】
したがって、この発明の目的は、ローディング状態で開口部をほぼ完全に塞ぐことができ、トレイのトレイ飾りを不要にでき、カートリッジのスロットイン方式のディスク装置にも適用することができるディスク装置のドライブドアロック機構を提供することである。
【００１４】
【課題を解決するための手段】
本発明は、上記の課題を解決すべく、下記の手段を備える。
【００１５】
請求項１記載のディスク装置のドライブドアロック機構は、カートリッジを搬入または搬出させる開口部を有し前記開口部内に搬入された前記カートリッジに接近離間するように上下動するトラバースを有する装置本体と、
前記装置本体に設けられ前記カートリッジの搬入に伴い前記装置本体の搬入方向および搬出方向とは異なる外部方向に移動し前記カートリッジの搬出に伴い前記装置本体の搬入方向および搬出方向とは異なる内部方向に移動して前記トラバースを上下動させるスライド部材と、
前記装置本体に設けられ前記スライド部材と係合して移動するロック手段と、
前記カートリッジの搬入状態で前記開口部を遮蔽するドライブドアと、
前記ドライブドアに設けられて前記ドライブドアが前記開口部を遮蔽した状態で前記ロック手段が前記装置本体の内部から外部方向への移動後に位置する場合に前記ロック手段と係合し前記ロック手段が前記装置本体の内部から外部方向への移動前に位置する場合に前記ロック手段と係合しない係合部と、を有するものである。
【００１６】
請求項１記載のディスク装置のドライブドアロック機構によれば、ドライブドアにより開口部を閉じかつロックできるので、カートリッジを装置内に搬入後に、装置外部からゴミや異物が装置本体内に混入することを防止することができる。また、装置の稼働中に装置外部からドライブドアをこじ開けて怪我をすることを防止し、しかも強力なレーザ光の回折光が装置外部に漏れ出すことを防止することができる。したがって、ローディング状態で開口部をほぼ完全に塞ぐことができ、トレイのトレイ飾りを不要にでき、カートリッジのスロットイン方式のディスク装置にも適用することができる。
【００１９】
請求項２記載のディスク装置のドライブドアロック機構は、請求項１において、スライド部材は、ローディングモータに連動するものである。
請求項２記載のディスク装置のドライブドアロック機構によれば、請求項１と同様な効果のほか、スライド部材は、ローディングモータに連動するので、数点の部品の追加でドライブドアのロック手段の実現を可能とする。
【００２２】
【発明の実施の形態】
（実施の形態１）
本発明の光ディスク記録再生装置の第１の実施の形態を図１から図７に示す。図１において、１４０は開口部６０ａを有する光ディスク記録再生装置の装置本体であり、メカシャーシ６０とアッパベース８３で構成される。２０はカートリッジおよび単体の光ディスクを載置するトレイ、２４３は開口部６０ａを開閉するドライブドアである。
【００２３】
トレイ２０のカートリッジ載置面２１の中央には、同心円に設けられた大小２つの凹部２２、２３が設けられている。大径の凹部２２が大径ディスク載置部、小径の凹部２３は小径ディスク載置部で光ディスク記録再生装置本体１４０に装着する単体のディスクの外径に応じて使い分けるように準備されている。
【００２４】
またトレイ２０の左右両側には、カートリッジ１の外寸より少しだけ大きく、カートリッジ載置面２１に対して垂直に左壁面２５、右壁面２６が形成されており、カートリッジ１のトレイ２０への載置時のガイドの機能を有している。
【００２５】
トレイ２０の左壁面２５および右壁面２６の一部に開口部３０が設けられ（図６、図７）、カートリッジ１の奥側左右端面の凹部形状の被係合部６と係合するカートリッジホルダ２７が設けられている。
【００２６】
カートリッジホルダ２７は、カートリッジ載置面２１に設けられたピン２８を通す孔２７ａを中心に有し、ピン２８を中心に回動自在に保持されており、一端がカートリッジ１の被係合部６と係合する凸部２７ｂを有しており、他端はトレイ２０との間で、カートリッジ１の被係合部６を保持する方向にばね例えばコイルばね４９で付勢されている。
【００２７】
トレイ２０の奥側にはカートリッジ１のシャッター２を開閉するオープナ２９が左右方向に移動自在に設けられている。シャッター２の先端の突起にオープナ２９を引掛けて左側に開きながらローディングを行う。このため、例えばトレイ２０のローディング動作に応じてシャッター２を開くようにオープナ２９を開かせるカム溝（図示せず）をアッパベース８３の裏面に設ける。
【００２８】
カートリッジ１に収納されたディスク（図示せず）は、シャッタ２が解放状態となると、後述のスピンドルモータ９０による回転と、光ピックアップ９９による記録再生が可能となる。
【００２９】
メカシャーシ６０の前側にローディングモータ６１およびその減速ローディングギア系６６が設けられ、トレイ２０の裏面の一側部には、駆動ギア６６と係合するラックギア４０に設けらている（図６）。トレイ２０はローディングモータ６１の回転方向を切り替えることで、ローディングとイジェクトが可能な構成となっている。同様にトレイ裏面のラックギア４０の近傍には、金属製のガイドシャフト４１がトレイ２０の前端と後端で保持されており、シャフトホルダ４２を介してメカシャーシ６０に保持されている。トレイ２０の他側部の縁部はメカシャーシ６０の内側部の段部６３にスライド自在に支持されている。これによりトレイ２０は搬入搬出可能に装置本体１４０に支持されている。
【００３０】
図４に示すように、ディスクを保持し回転させるスピンドルモータ９０、ディスクの情報の読出しまたはディスクに情報を書込みを行う光ピックアップ９９、光ピックアップ９９をガイドシャフト９７、９８に沿ってディスクの半径方向に移動させるトラバースモータ９４とリードスクリュー９５を保持するトラバースベース８２は、４隅をゴムダンパ７１で弾性的にトラバースホルダ７０に対して保持されている。８５はゴムダンパの固定ねじである。ゴムダンパ７１で弾性的に支持されていることで、光ディスク記録再生装置本体１４０に対して外部からの振動または衝撃が与えられた場合の、ディスクの記録再生動作に対する影響を低減する効果を有している。
【００３１】
トラバースホルダ７０の後側は、メカシャーシ６０の軸受け６７に軸８４が回動自在に軸支持されており、トラバースホルダ７０の前側の突起１８３が、スライドカム１００の傾斜したカムスリットと係合しており、スライドカム１００の左右移動によって、トラバースホルダ８２は上下に駆動される構造となっている。
【００３２】
ディスクをスピンドルモータ９０に装着するに際して、アッパーベース８３に設けたクランパ８４でターンテーブル９１にデイスクを固定する構成となっている。クランパ８４は上下２つに分割可能な部材で構成され、内部には磁石を内蔵している。また、ターンテーブル９１に対してディスクのセンタリングを行うため、中央に構成されたセンターコーンの頂上部には磁性体が埋め込まれている。クランパ８４に内蔵された磁石と磁性体との磁気吸引力で、クランパ８４はディスクをターンテーブル９１に固定する。
【００３３】
トラバースホルダ７０の前側には、ローディングモータ６１とトラバースホルダ７０との仕切り壁１７８をシャーシ６０に設けてあり、仕切り壁１７８にスライドカム１００が左右方向に移動自在に設けられている。
【００３４】
スライドカム１００の前側にはラックギア１０１を設けており、減速ローディングギア系６６の中間歯車で左右に駆動される。またトレイ２０の裏面に移動方向に平行な例えば溝条のロードカム２４９にスライドカム１００の突起１００ａが係合している。ロードカム２４９の前端側のコーナ部２４９ａは略４５度に傾斜し、さらに移動方向に直角に延びる端部２４９ｂを有する。突起１００ａがコーナ部２４９ａを移動するときラックギア１０１がローディングギア系６６と係合または離脱する。同時にラックギア１０１とローディングギア系６６の中間ギアと係合した後駆動ギア６６ａとラックギア４０の噛み合いが外れ、反対にラックギア１０１とローディングギア系６６の中間ギアとが離脱する前に駆動ギア６６ａとラックギア４０が噛み合う。
【００３５】
スライドカム１００が左右に移動することで、トラバースホルダ８２とともに、カートリッジ１をローディング位置で位置決めするアライメントピン１０２が上下方向に駆動されるようにカムスリット（図示せず）に係合するように構成され、かつ検出レバー１０６がアシストアーム１０４を介して上下方向に駆動されるように構成されている。
【００３６】
ドライブドア２４３およびロック手段について説明する。メカシャーシ６０の右側面の前側に開口孔６８ａ、６８ｂを有し（図２）、ロック部材であるドライブドアロックピン１４７がドライブドアロックピン１４７とメカシャーシ６０間に設けられた復帰ばね例えばコイルばね１４８で、ドライブドア２４３のロックの開放側である左側に付勢されている。
【００３７】
ドライブドアロックピン１４７はコ字形をなして両端がメカシャーシ６０とのシャーシ係合ピン１４７ａ、１４７ｂを構成し、その中間部にシャーシ係合ピン１４７ａ、１４７ｂに対して垂直にトレイ係合ピン１４７ｃが設けられ、トレイ係合ピン１４７ｃはトレイ２０の裏面のラックギア４０に並設した例えば直線状の溝により形成したカム５０と係合する。カム５０は端部５０ａが側部に向けて略４５度に傾斜しており、これによってトレイ２０がローディングを完了する直前にカム５０がトレイ係合ピン１４７ｃを右方向に駆動し、シャーシ係合ピン１４７ａ、１４７ｂをメカシャーシ６０の右壁面から突出させる。
【００３８】
光ディスク記録再生装置本体１４０の前面の開口部６０ａに設けられたドライブドア２４３は、その左右端にヒンジ部（図示せず）を有しておりメカシャーシ６０に設けられた支持軸と嵌合し、ドライブドア２４３はヒンジ部を回転中心として開口部６０ａに開閉自在にメカシャーシ６０に支持されている。
【００３９】
ドライブドア２４３は開口部６０ａを遮へいする側にばね（図示せず）で付勢されており、トレイ２０のイジェクト動作でトレイ２０の先端でドライブドア２４３を押し開く構造となっている。
【００４０】
一方、ドライブドア２４３の両側にはドライブドア２４３の開き量を規制する係合部１４５、１４６が設けられ、右側の係合部１４６はドライブドアロックピン１４７との係合を兼ねている。係合部１４６は、トレイ２０のローディング完了時にメカシャーシ６０の右側面の開口孔６８ａから飛び出す係合ピン１４７ａと係合することで、装置外部からのドライブドア１４３の開放操作がロック規制される。
【００４１】
１４３はメカシャーシ６０の軸７８に中間部が軸支され、ローディングされたカートリッジ１をばね１４３ａにより押えるサイドアームであり、基端部が上下方向に移動するトラバースベース７０に係合し、トラバースベース７０が上方に移動することによりサイドアーム１４３の先端部でカートリッジを押さえ固定する。１８５は制御回路の回路基板であり、カートリッジ１の載置状態等を検出する検出レバーに応動するスイッチを有する。
【００４２】
以上のように構成された光ディスク記録再生装置１４０の動作を、トレイ２０のローディング操作を行う場合を例に挙げ説明を行う。
【００４３】
光ディスク記録再生装置１４０のロードイジェクトスイッチ１４２を押すと、ローディングモータ６１に駆動電圧が印加され、ローディングモータ６１の回転に従動する中間ギアの回転によって、ラックギア１０１を駆動してスライドカム１００が左方向に移動し、カム溝１０９と係合するトラバースホルダ７０を下方向に待避させる動作を行う。この時、トラバースホルダ７０に支持されるトラバースベース８２も同期して下方向に待避する。同時にアライメントピン１０２およびアシストアーム１０４を介して検出レバー１０６もカートリッジ１から退避する。
【００４４】
次にスライドカム１００の上面に設けられた突起１００ａがトレイ裏面に形成したロードカム２４９のコーナ部２４９ａの溝を駆動することで、トレイ２０のイジェクト動作が開始される。トレイ２０のイジェクト動作は、その初期にはスライドカム１００の突起１００ａで駆動されるが、途中で駆動力は、ローディングモータ６１の回転に従動する駆動ギア６６ａによるトレイ２０の裏面に設けられたラックギア４０の駆動に切り替わり、トレイ２０が光ディスク記録再生装置本体１４０のイジェクトの終点に達するまで駆動を継続する。
【００４５】
トレイ２０のイジェクト動作の開始に伴い、まずドライブドア２４３が復帰ばね１４８に抗してヒンジを中心として下側に押し回動されて開き、ドライブドア２４３が全開するのと同時に、トレイ２０が光ディスク記録再生装置１４０からイジェクトされてくる（図３）。
【００４６】
つぎに、イジェクトされたトレイ２０に単体のカートリッジ１を載置し、トレイ２０の前端を押し込むか、光ディスク記録再生装置本体１４０のロードイジェクトスイッチ１４２を再度押すことで、ローディングモータ６１に駆動電圧が印加され、ローディングモータ６１が逆回転しこれに従動する駆動ギア６６の回転によってトレイ２０の自動のローディング動作が開始される。
【００４７】
トレイ２０が、光ディスク記録再生装置１４０の内部にローディング完了すると、復帰ばね１４８によりドライブドア２４３は遮へいされる。このときトレイ２０の裏に設けられたロックピン駆動カム５０の作用でロックピン１４７はシャーシ６０の右側面から突出し、ドライブドア２４３のロックピン係合部１４６と係合しドライブドア２４３のロック動作は完了する（図２）。
【００４８】
（実施の形態２）
この発明の第２の実施の形態を図８から図１０に示す。第１の実施の形態と異なる点は、ドライブドア２４３のロックを行うロックピン１４７の駆動をスライドカム１００で行うものである。すなわち、トレイ２０のローディング完了時にはスライドカム１００はロードカムのコーナ部２４９ａによりトレイ２０の右側方向に移動を開始し、駆動ギア６６ａとラックギア４０の噛み合いが外れてトレイ２０が停止した後も、さらにローディングギア系６６により駆動されてトラバースベース８２等を上方に押し上げるまでロードカム２４９ｂに沿ってスライドする。このスライド動作でロックピン１４７をばね１４８に抗して押し出す（図９（ａ））。この結果、トレイ２０のローディング完了によりドライブドア２４３が閉じた後ロックピン１４７がロックピン係合部１４６と係合する。
【００４９】
図１０はトレイ２０のイジェクト状態であり、スライドカム１００は左側に移動しており、ロックピン１４７は復帰ばね１４８により後退位置に復帰している。
【００５０】
よって第１の実施の形態のトレイ２０の裏のロックピン駆動カム５０、ロックピン１４７のトレイ係合部１４７ｃは不要となる。その他の構成は第１の実施の形態１と同様である。
【００５１】
なお、スライドカム１００とロックピン１４７を一体化することができ、より一層部品点数を削減可能となる。
【００５２】
（実施の形態３）
この発明の第３の実施の形態を図１１から図１３に示す。この光ディスク記録再生装置は、スロットローディング方式であり、トレイ２０がない代わりにカートリッジ１を移動自在にガイドするガイド部（図示せず）と、カートリッジ１を自動的にローディングするローラ例えばゴムローラ１９７と付勢板１９８を装置本体１４０に設けている。
【００５３】
またドライブドア１９３は上下に移動可能に光ディスク記録再生装置本体１４０に保持されており、ラックギア１９４がドライブドア１９３の背後に移動方向に延設され、さらにロック係合部１９９が装置本体１４０の奥方に突出している。ドライブドア開閉用モータ（図示せず）が光ディスク記録再生装置本体１４０のドライブドア１９３の付近に設けられ、ラックギア１９４と係合する駆動ギア１９６を駆動する。
【００５４】
光ディスク記録再生装置本体１４０の前面の開口部６０ａの内側には、ゴムローラ１９７と付勢板が１９８が対向して設けられ、付勢板１９８はゴムローラ１９７に接近離間するように回動自在に構成され、付勢ばね（図示せず）によってゴムローラ１９７に付勢されている。その他の構成は第１の実施の形態と同様である。
【００５５】
ロードイジェクトスイッチ１４２を押すと、ドライブドア開閉用モータの駆動によって駆動ギア１９６が回転し、ドライブドア１９３は装置本体１４０の前面に平行に下方向に垂直移動し、光ディスク記録再生装置本体１４０の前面の開口部６０ａが現れる（図１３）。
【００５６】
ゴムローラ１９７と付勢板１９８の間にカートリッジ１を挿入すると、ゴムローラ１９７はカートリッジとの摩擦力によって連れ回りし、ゴムローラ１９７の回転を検知した制御回路はゴムローラ１９７を回転させ、以後自動的にカートリッジ１を光ディスク記録再生装置本体１４０の内部にカートリッジ１のシャッター２を開放しながらローディングする。
【００５７】
この時、カートリッジ１の通路から下側に待避していたトラバースホルダ８２に支持されたトラバースベース８２は、スライドカム１００の移動によって上昇し、カートリッジ１の内部のディスクをスピンドルモータ９０のターンテーブル９１とクランパ８４とで保持する。
【００５８】
カートリッジ１のローディングが完了すると、ドライブドア開閉用モータ（図示せず）の駆動によって駆動ギア１９６が逆回転し、ラックギア１９４が移動してドライブドア１９３は上方向に垂直移動し、光ディスク記録再生装置本体１４０の前面の開口部１４０を遮へいする。
【００５９】
この時、スライドカム１００の移動によって、ドライブドアロックピン１４７が駆動され、ドライブドア１９３の係合部１９９と係合することで、ドライブドア１９３は外部からの手動による開放が回避される（図１２）。
【００６０】
なお、スロットローディング機構の実現に、トレイがないためスライドカム１００によりロックピン１４７を駆動し、ドライブドア１９３をモータ駆動により開閉しているが、ドライブドア１９３の垂直開閉は必須ではなく、ドライブドア開閉用モータの駆動によって回動により開閉する構成であってもかまわない。
【００６１】
また、スライド部材はスライドカム１００を共用したが、スライドカム１００とは別にスライド部材を設けてもよく、モータもローディングモータとは別のモータを用いてもよい。
【００６２】
【発明の効果】
請求項１記載のディスク装置のドライブドアロック機構によれば、ドライブドアにより開口部を閉じかつロックできるので、カートリッジを装置内に搬入後に、装置外部からゴミや異物が装置本体内に混入することを防止することができる。また、装置の稼働中に装置外部からドライブドアをこじ開けて怪我をすることを防止し、しかも強力なレーザ光の回折光が装置外部に漏れ出すことを防止することができる。したがって、ローディング状態で開口部をほぼ完全に塞ぐことができ、トレイのトレイ飾りを不要にでき、カートリッジのスロットイン方式のディスク装置にも適用することができる。
【００６４】
請求項２記載のディスク装置のドライブドアロック機構によれば、請求項１と同様な効果のほか、スライド部材は、ローディングモータに連動するので、数点の部品の追加でドライブドアのロック手段の実現を可能とする。
【図面の簡単な説明】
【図１】本発明の第１の実施の形態を示し、（ａ）は光ディスク記録再生装置の外形斜視図、（ｂ）はトレイのイジェクト状態の斜視図である。
【図２】（ａ）はローディング状態の概略横断面図、（ｂ）はその縦断面図である。
【図３】（ａ）はイジェクト状態の概略横断面図、（ｂ）はその縦断面図である。
【図４】光ディスク記録再生装置の分解斜視図である。
【図５】（ａ）はトレイの斜視図、（ｂ）はカートリッジホルダの斜視図である。
【図６】トレイの裏面側からみた斜視図である。
【図７】トレイにカートリッジを載せる前の斜視図である。
【図８】第２の実施の形態を示し、（ａ）は光ディスク記録再生装置の外形斜視図、（ｂ）はトレイのイジェクト状態の斜視図である。
【図９】（ａ）はローディング状態の概略横断面図、（ｂ）はその縦断面図である。
【図１０】（ａ）はイジェクト状態の概略横断面図、（ｂ）はその縦断面図である。
【図１１】第３の実施の形態を示し、（ａ）は光ディスク記録再生装置の外形斜視図、（ｂ）はトレイのイジェクト状態の斜視図である。
【図１２】（ａ）はローディング状態の概略横断面図、（ｂ）はその縦断面図である。
【図１３】（ａ）はイジェクト状態の概略横断面図、（ｂ）はその縦断面図である。
【図１４】従来の光ディスク記録再生装置を示し、（ａ）は外形斜視図、（ｂ）はイジェクト状態の斜視図である。
【符号の説明】
２０    トレイ
５０    カム
６０ａ    開口部
６１    ローディングモータ
６６    ローディングギア系
１００    スライドカム
１４０    装置本体
１４６    係合部
１４７    ロックピン
１４８    復帰ばね
２４３    ドライブドア
【図１】
0004132856.tif 000002
【図２】
0004132856.tif 000003
【図３】
0004132856.tif 000004
【図４】
0004132856.tif 000005
【図５】
0004132856.tif 000006
【図６】
0004132856.tif 000007
【図７】
0004132856.tif 000008
【図８】
0004132856.tif 000009
【図９】
0004132856.tif 000010
【図１０】
0004132856.tif 000011
【図１１】
0004132856.tif 000012
【図１２】
0004132856.tif 000013
【図１３】
0004132856.tif 000014
【図１４】
0004132856.tif 000015